(57)【要約】【課題】任意のネットワーク上の複数の接続端末の選択を容易にし、かつ、誤接続を少なくすることのできるネットワーク接続装置を提供することを目的とする。【解決手段】接続したネットワーク上の情報を受信および送信する送受信処理回路１０２と、存在するネットワークの電波強度情報を取得するネットワーク監視回路１０３と、  ネットワークの通信状態を検出するための通信状態データを作成するデータ変換処理回路１０４と、電波強度情報と通信状態データを基に、ネットワークの状態および同一ネットワークに存在する接続端末の通信状態を判定し、該当の接続端末情報に付加する接続端末情報作成回路１０５と、接続端末情報作成回路１０５で作成した接続端末情報を基に、接続端末の距離情報に変換して、接続端末の状態を遠近法で表示する表示回路１０６とで構成される。【選択図】図１
2009267673.tif 000002
【特許請求の範囲】
【請求項１】
任意のネットワークに接続しデータ通信可能なネットワーク接続装置において、
接続したネットワーク上の情報を受信および送信する送受信処理手段と、
存在するネットワークの電波強度情報を取得するネットワーク監視処理手段と、
前記送受信処理手段で処理した結果を基にネットワークの通信状態を検出するための通信状態データを作成するデータ変換処理手段と、
前記ネットワーク監視処理手段で取得した電波強度情報と、前記データ変換処理手段で作成された通信状態データを基に、ネットワークの状態および同一ネットワークに存在する接続端末の通信状態を判定し、該当の接続端末情報に付加する接続端末情報作成手段と、
前記接続端末情報作成手段で作成した接続端末情報を基に、距離情報に変換して前記接続端末の状態を遠近法で表示する表示処理手段と、
を有することを特徴とするネットワーク接続装置。
【請求項２】
前記接続端末情報には、全体の送受信量に対する損失量の比率を含むことを特徴とする請求項１記載のネットワーク接続装置。
【請求項３】
前記距離情報は、ネットワーク上での複数の接続端末の相対位置関係であることを特徴とする請求項１記載のネットワーク接続装置。
【請求項４】
前記表示処理手段は、前記距離情報に応じて前記接続端末の表示サイズを変えることで遠近を表すことを特徴とする請求項１記載のネットワーク接続装置。
【請求項５】
すでに他のネットワーク接続装置に接続されている接続端末を、接続可能な接続端末に対し表示の色を変える、または半透明にするようにしたことを特徴とする請求項１記載のネットワーク接続装置。
【請求項６】
前記接続端末は無線プロジェクターであることを特徴とする請求項１乃至請求項５のいずれかに記載のネットワーク接続装置。
【発明の詳細な説明】
【技術分野】
【０００１】
本発明は、任意のネットワークに接続し、データ通信可能なネットワーク接続装置に関するものである。
【背景技術】
【０００２】
従来、任意のネットワークに接続され、複数の接続端末とデータ通信可能なネットワーク接続装置において、データの送受信を行う場合、受信側の接続端末を特定する方法として、受信側接続端末に設定された情報（ＩＰアドレス／サブネットマスク／ＳＳＩＤなど）を送信側端末に事前登録しておく、または、接続したネットワーク上で検索した情報を基に送信側であるネットワーク接続装置で選択して、受信側接続端末を決定するという操作が必要になる。
【０００３】
図８は従来のネットワーク上で接続する接続端末の設定方法に関するネットワーク接続装置の動作を説明するブロック図である。
【０００４】
図８において、接続端末８０１は端末情報８０２（ＩＰ情報／ＳＳＩＤ／端末名）を有する端末であり、送受信アンテナ８０３を介し、送受信回路８０４によりネットワーク上にある全ての端末との通信が可能である。
【０００５】
また、ネットワーク接続装置８０５は、送受信アンテナ８０６を介し、送受信回路８０７を経由してネットワーク上の個々の接続端末に接続される。
【０００６】
また、送受信回路８０７にメモリ８０８を搭載しており、事前に複数の接続端末の接続情報（ＩＰ情報／ＳＳＩＤ／端末名）が登録された接続情報リスト８０９が記憶されている。
【０００７】
ネットワーク接続装置８０５は必要に応じて、接続情報リスト８０９を表示させ、そこから接続したい接続端末を選択し、その接続端末の接続情報を抽出し、送受信回路８０７は抽出した情報に基づいてその接続端末と接続し、通信を行う。
【０００８】
このように事前に登録した接続端末のリストを表示させ、接続端末を選択し、接続情報を基に通信を行うのが、従来の一般的なネットワーク検出表示方法である。
【０００９】
このようなネットワーク検出リスト表示による接続方法を行うネットワーク接続装置には、例えば特許文献１に記載されたものがある。
【００１０】
特許文献１では、画像読取装置が通信可能な複数の外部装置の情報を画像読取装置内のメモリに保存するとともに、画像読取装置内の表示部に表示させ、その中から送信先となる外部装置を選択し、接続する。その際の外部装置接続情報として通信状態も表示するようにしている。
【特許文献１】特開２００６−２３８１４６号公報
【発明の開示】
【発明が解決しようとする課題】
【００１１】
上記従来のようなネットワーク接続装置の場合、登録する接続端末が多くなれば、その中から必要な情報を抽出するのに時間がかかるだけでなく、誤って他の接続端末を選択し、接続してしまうことが発生する。
【００１２】
また、設定される接続端末情報が固定されない場合（ＤＨＣＰサービスによるＩＰアドレスの自動付与など）、事前登録することができなくなり、データ通信を行う毎に、受信側接続端末情報を確認する必要がある、またはテスト的にデータ送信を行って確認する必要があるなど、接続可能な接続端末が増えるほど、本来接続すべき接続端末を見つけにくい、または誤って選択して接続し情報が漏洩してしまうなどの問題が多く存在していた。
【００１３】
つまり、単に記述しただけのリストでは、特許文献１のように通信状態を表示していても、誤って接続してしまうことには変りはない。
【００１４】
このような問題は、パソコンなどの情報処理装置から無線プロジェクターに表示するための画像データを無線で送る際に、例えば、複数の無線プロジェクターが同じネットワーク上に存在している場合、別の部屋に設置されている無線プロジェクターに誤って送ってしまい、その場所に画像データが投射表示されてしまうことにも表れている。
【００１５】
本発明は上記従来の課題を解決するもので、接続すべき接続端末に容易に接続することができ、かつ、誤接続の少ないネットワーク接続装置を提供することを目的とする。
【課題を解決するための手段】
【００１６】
上記従来の課題を解決するために本発明のネットワーク接続装置は、任意のネットワークに接続しデータ通信可能なネットワーク接続装置において、
接続したネットワーク上の情報を受信および送信する送受信処理手段と、
存在するネットワークの電波強度情報を取得するネットワーク監視処理手段と、
前記送受信処理手段で処理した結果を基に、ネットワークの通信状態を表示するための通信状態データを作成するデータ変換処理手段と、
前記ネットワーク監視処理手段で取得した電波強度情報と、前記データ変換処理手段で作成された通信状態データを基に、ネットワークの状態および同一ネットワークに存在する接続端末の通信状態を判定し、該当の接続端末情報に付加する接続端末情報作成手段と、
前記接続端末情報作成手段で作成した接続端末情報を基に、距離情報に変換して前記接続端末の状態を遠近法で表示する表示処理手段とを有するものであり、
接続端末の使用状態と距離を視覚的に容易に把握することができ、複数の接続端末が存在する環境下において、接続したい接続端末（一番近い接続端末など）を特定しやすくすることができ、誤接続を防ぐことが可能になる。
【発明の効果】
【００１７】
本発明のネットワーク接続装置によれば、複数の接続端末を検索し、各接続端末の使用状態と距離を視覚的に表示するため、接続したい接続端末を容易に特定でき、誤接続を防ぐことができる。
【発明を実施するための最良の形態】
【００１８】
本発明を実施するための実施の形態について、以下図を用いて説明する。
【００１９】
（実施の形態１）
図１は本発明の一実施の形態のネットワーク接続装置の構成を示すブロック図、図２から図５は図１のブロック図中に記載した各回路の詳細を示したブロック図、図６は、本発明のネットワーク接続装置の具体的な動作手順について説明する動作手順説明図、図７は表示状態を示す図である。接続端末の構成は従来と同様であるため省略する。
【００２０】
図１において、ネットワーク接続用の送受信アンテナ１０１から取得したネットワーク上の情報は送受信処理回路１０２に受信データとして入力される。
【００２１】
さらに、送受信アンテナ１０１からネットワークＩＤ（以下ＳＳＩＤとして表示する）情報を取得し、ネットワーク監視回路１０３にネットワークＩＤ情報として入力する。
【００２２】
送受信処理回路１０２で受信した受信データは蓄積され、蓄積したネットワーク情報に含まれる補足データ（損失データ量、再送データ量など）を抽出し、所定の処理を行った後の処理データを、データ変換処理回路１０４に出力する。
【００２３】
ネットワーク監視回路１０３では、入力されたネットワークＩＤ情報を基に、ネットワークＩＤ情報に含まれるネットワーク固有の情報（電波強度情報、ＩＰ情報など）を抽出し、ネットワーク固有情報として接続端末情報作成回路１０５に出力する。
【００２４】
データ変換処理回路１０４では、入力されたネットワーク情報および補足データを基にネットワーク情報リストを作成し、接続端末情報作成回路１０５に出力する。
【００２５】
接続端末情報作成回路１０５では、ネットワーク監視回路１０３から出力されたネットワーク固有情報と、データ変換処理回路１０４で作成されたネットワーク情報リストを基に、比較判定され、所定の処理演算がされた後、接続端末情報リストとして接続可能な接続端末リストを作成し、表示回路１０６に出力する。
【００２６】
表示回路１０６では、入力された接続端末リストを基に、遠近法による表示処理を行う。この遠近法は、上記電波強度情報および補足データ（損失データ量、再送データ量など）からネットワーク接続装置と接続端末の距離を算出し、距離に応じて接続端末に対応する表示（例えば接続端末の略図等）の大きさを変えるようにしている。
【００２７】
これにより、現在のネットワーク上の通信状態から接続可能な接続端末リストに対して優先順位付けが可能になり、一番近い、または接続したい情報端末を簡単に検出し、選択することが可能になる。
【００２８】
以下、図２から図７を用いて、ネットワーク接続表示装置の構成および動作について、ブロックごとにより詳細に説明する。
【００２９】
図２は送受信処理回路１０２を示すブロック図である。
【００３０】
図２において、ネットワーク接続装置は、送受信アンテナ１０１から入力されたネットワーク情報を、受信回路Ａ２０１で受信データとして受信し、受信データ中に含まれるパケットデータを抽出するパケットデータ蓄積回路２０２と、受信データ中に含まれている補足データ（損失データ量、再送データ量など）を抽出する補足データ蓄積回路２０３に分解して蓄積する。
【００３１】
パケットデータ蓄積回路２０２で蓄積した受信データ（正常に受信されたデータ）と補足データ蓄積回路２０３に蓄積された補足データを基に、受信データサイズ作成回路２０４で、受信データをデータ内容に無関係に送受信されている、実際のサイズである受信サイズデータ情報に変換する。
【００３２】
受信データサイズ作成回路２０４で作成された受信データサイズ情報はデータ変換処理回路１０４に出力される。
【００３３】
図３はネットワーク監視回路１０３を示すブロック図である。
【００３４】
図３において、送受信アンテナ１０１から入力されたネットワークＩＤ情報を、受信回路Ｂ３０１で受信データとして受信し、ネットワーク検出回路３０２で特定のネットワークＩＤ情報を検出し、特定情報抽出回路３０３および判定回路３０４に出力する。
【００３５】
特定情報抽出回路３０３では、入力されたネットワークＩＤ情報から固有情報（ＳＳＩＤ情報、電波強度情報、ＩＰ情報など）を分離する。
【００３６】
判定回路３０４では、ネットワークＩＤ情報と抽出した固有情報を基に、接続可能ネットワークかどうかを判定する。
【００３７】
図４はデータ変換処理回路１０４を示すブロック図である。
【００３８】
図４において、送受信処理回路１０２から出力された受信データサイズ情報から、受信データ抽出回路４０１により送受信データ量を抽出し、リスト作成回路４０３に出力する。さらに受信データサイズ情報は、ネットワーク状態を判定するためのネットワーク情報（ロスト情報、再送情報など）を検出するネットワーク情報判定回路４０２に入力され、検出したネットワーク状態判定情報はリスト作成回路４０３に出力する。
【００３９】
リスト作成回路４０３では、受信データ抽出回路４０１から出力された送受信データ量とネットワーク情報判定回路４０２から出力されたネットワーク状態判定情報を基にネットワーク上のデータ受信リストを作成し、接続端末情報作成回路１０５に出力する。
【００４０】
図５は接続端末情報作成回路１０５を示すブロック図である。
【００４１】
図５において、データ変換処理回路１０４で作成されたデータ受信リストは、受信情報リスト作成回路５０１に入力され、受信情報リストを作成し、比較回路５０３に出力される。
【００４２】
ネットワーク監視回路１０３で作成されたネットワークＩＤ情報は、ネットワークリスト作成回路５０２に入力され、ネットワークリストが作成され、同様に比較回路５０３に出力される。
【００４３】
比較回路５０３では、入力された受信情報リストとネットワークリストを基に、すべての他のネットワーク情報と比較され、比較結果に応じて、補正値作成回路５０４を通じて補正データを考慮して所定演算の後、比較判定結果を接続端末リスト作成回路５０５に出力する。
【００４４】
接続端末リスト作成回路５０５では比較回路５０３の比較判定結果を基に、受信したネットワーク情報の優先順位ごとにランク付けを行い、接続可能な接続端末リストを作成し、表示回路１０６に出力する。
【００４５】
図６は、本発明のネットワーク接続装置の具体的な動作手順について説明する動作手順説明図である。
【００４６】
手順（１）は送受信処理回路１０２およびネットワーク監視回路１０３で抽出したネットワーク情報抽出結果である。
【００４７】
図では、ネットワーク監視回路１０３で抽出した結果がＳＳＩＤＡ、ＳＳＩＤＢの２つのネットワーク情報である場合を示す。送受信処理回路１０２で、Network Info An、Network Info Bnの２種類の情報が抽出された場合を示す。
【００４８】
抽出結果を基に、手順（２）では、データ変換処理回路１０４で受信データサイズ情報として分類され、接続端末情報作成回路１０５に入力され、ＳＳＩＤ情報と関連付けられリスト化されて、それぞれの比較を行う。
【００４９】
手順（３）は、比較を行う際の演算処理を示す。手順（２）でリスト化されたデータからネットワーク状態を示す演算式、たとえば、全体の送受信量に対する損失量の比率（図では、AData =（Acol+ARet）/（Atr+Arec)で示す ）ADataおよびBDataを算出する。
【００５０】
算出した結果をそれぞれ比較し、比較結果と合わせて電波強度情報（図ではα、β）の比較をそれぞれ行う。AData＜＝BData、かつα＜＝βの場合は、どちらも情報端末（ＡＤ２）が優先されると判断する。
【００５１】
同様に、AData＞BDataかつα＞βの場合は、情報端末（ＡＤ１）が優先されると判断する。AData＜＝BDataでα＞βの場合、所定の補正値γを演算式に代入し、α＜＝（β＋γ）の場合、電波強度情報の誤差範囲として判断し、情報端末（ＡＤ２）が優先されると判断する。
【００５２】
表示回路１０６は、接続端末リストにおける上記優先情報に基づいて、各接続端末の情報を距離に応じた大きさの表示（例えば接続端末の略図等）に置き換える表示処理を行う。
【００５３】
図７は、図６の判定結果を基に表示した場合の例を示す表示状態図である。
【００５４】
図７は、縦軸を判定レベル（図ではＡ１／Ａ２／Ａ３で表示、Ａ１＞Ａ２＞Ａ３）、横軸を空間位置として表示した場合の例である。
【００５５】
図６で比較演算した結果に基づいて、ＡＤ２＞ＡＤ１の判定結果を得たとき、ＡＤ２とＡＤ１の判定レベルがＡＤ２＞Ａ１、Ａ２＞ＡＤ１＞Ａ３の範囲にあるとき、図７のように大きさを変えて表示することで、判定レベルを距離（遠近）として置き換えることが可能になり、一番近い接続先がＡＤ２であると判断することができる。
【００５６】
つまり、遠近法で表示されるため、視覚的に各接続端末の位置関係を容易に認識することができる。
【００５７】
また、一番近い接続先が唯一存在している場合、表示と同時に接続することで、ユーザーが選択することなく自動で接続することも可能になる。
【００５８】
また、距離に応じて遠近法で表示する場合は、距離に応じた絶対的な大きさでもよいし、端末同士の相対的な大きさにしてもよい。
【００５９】
また、ネットワーク上で接続端末がすでに他のネットワーク接続装置に接続されている場合は、表示の色を変えたり、半透明にするなどで見分けられるようにしてもよい。
【００６０】
以上のように、取得されたネットワーク情報から接続端末情報として優先順位判断を行うことにより、一番近い接続端末がどれかを一意に決定、選択することが可能になる。
【００６１】
損失データ量が多いと、その接続端末は遠い位置、または別の部屋に配置された接続端末と判断され、接続したい端末との違いを表示することが可能になる。
【００６２】
これによって、接続したい端末を容易に選択することができ、誤って他の接続端末に接続してしまう恐れが少なくなる。
【産業上の利用可能性】
【００６３】
本発明は、複数の接続端末が混在するネットワーク環境において、専用パケットやＧＰＳ機能を使うことなく、一番近い接続端末を一意に選択することが可能になり、誤接続を防止することが可能になり、無線プロジェクターとの接続を行う情報処理装置等に有用である。
【図面の簡単な説明】
【００６４】
【図１】本発明の一実施の形態のネットワーク接続装置接続装置の構成を示すブロック図
【図２】本発明の一実施の形態のネットワーク接続装置の送受信処理回路の構成を示すブロック図
【図３】本発明の一実施の形態のネットワーク接続装置のネットワーク監視回路の構成を示すブロック図
【図４】本発明の一実施の形態のネットワーク接続装置のデータ変換処理回路の構成を示すブロック図
【図５】本発明の一実施の形態のネットワーク接続装置の接続端末情報作成回路の構成を示すブロック図
【図６】本発明の一実施の形態のネットワーク接続装置の具体的な動作手順を説明するための動作手順説明図
【図７】本発明の一実施の形態のネットワーク接続装置の表示状態図
【図８】従来のネットワーク接続装置の構成を示すブロック図
【符号の説明】
【００６５】
１０１  送受信アンテナ
１０２  送受信処理回路
１０３  ネットワーク監視回路
１０４  データ変換処理回路
１０５  接続端末情報作成回路
１０６  表示回路
２０１  受信回路Ａ
２０２  パケットデータ蓄積回路
２０３  補足データ蓄積回路
２０４  受信データサイズ作成回路
３０１  受信回路Ｂ
３０２  ネットワーク検出回路
３０３  特定情報抽出回路
３０４  判定回路
４０１  受信データ抽出回路
４０２  ネットワーク情報判定回路
４０３  リスト作成回路
５０１  受信情報リスト作成回路
５０２  ネットワークリスト作成回路
５０３  比較回路
５０４  補正値作成回路
５０５  接続端末リスト作成回路
【図１】
2009267673.tif 000003
【図２】
2009267673.tif 000004
【図３】
2009267673.tif 000005
【図４】
2009267673.tif 000006
【図５】
2009267673.tif 000007
【図６】
2009267673.tif 000008
【図７】
2009267673.tif 000009
【図８】
2009267673.tif 000010